(57)【特許請求の範囲】
【請求項１】
情報記録媒体に基づいて所定の処理を行なった端末器から送信されてくる所定の処理データをその情報記録媒体毎に収集するデータ収集装置において、
前記端末器から送信されてきた所定の処理データからその所定の処理データのシリアル番号及び処理時刻を抽出する抽出手段と、
抽出されたシリアル番号及び処理時刻と予め記憶されている前回に抽出されたシリアル番号及び処理時刻とを照合する照合手段と、
照合一致のときに、今回受信した所定の処理データを廃棄し、照合不一致のときに、今回受信した所定の処理データを記憶する記憶手段と、
を有することを特徴とするデータ収集装置。
【請求項２】
情報記録媒体は非接触券であり、端末器はその非接触券を非接触で処理する非接触式端末器であることを特徴とする請求項１に記載のデータ収集装置。
【請求項３】
非接触式端末器は非接触式自動改札機等の非接触式駅務機器であることを特徴とする請求項２に記載のデータ収集装置。
【発明の詳細な説明】
【０００１】
【発明の属する技術分野】
本発明は非接触式自動改札機のような非接触式の情報記録媒体を処理した端末器から送信されてくる処理データを正確に収集できるようにしたデータ収集装置に関する。
【０００２】
【従来の技術】
近年、利用者（旅客）の利便向上を図るために、定期券を定期券入れから出し入れすることなく、自動改札機の本体に設けられているアンテナに無線通信機能を備えたＩＣカードからなる非接触券をかざして入出場（入場又は出場を意味している。）のできる非接触式自動改札機が提案されている。
【０００３】
また、非接触券は、磁気券からなる従来の定期券に比べて記憶容量が格段に大きいので、非接触券の中に定期券データの他に金額データを持たせて、その金額データを用いて直接入出場処理を行ったり、あるいは、駅売店等の所定の場所に設けられている、非接触券と非接触で交信することのできる非接触式決済機で購入商品の代金決済を行えるようにすることが考えられている。
【０００４】
上述のように、非接触券の金額データを用いて入出場や商品購入等の所定の処理が行われたときは、利用者の要求に応じて、あるいは、定期的に非接触券を用いた一つの処理毎の内訳の内容、つまり、１件明細を印字や表示画面に表示して知らせることが必要となる。このため、１件明細のデータを正確に収集しておくことが必要となる。
【０００５】
【発明が解決しようとする課題】
ところで、何らかの理由により端末器から一つの非接触券を処理したときに、その一つの非接触券に係る処理データが複数個発生することがある。このような場合、金額の２度引きや、入出場が正常な対とならないことにより、つまり、入場→入場、又は、出場→出場が行われることにより、入出場が拒否されるような不都合が発生してしまうおそれがある。
【０００６】
そこで、本発明は、何らかの理由により一つの情報記録媒体に係る処理データが複数個発生しても、１件明細を的確に得ることのできるデータ収集装置を提供することを目的としている。
【０００７】
【課題を解決するための手段】
本発明に係るデータ収集装置装置は、上記目的を達成するために、情報記録媒体に基づいて所定の処理を行なった端末器から送信されてくる所定の処理データをその情報記録媒体毎に収集するデータ収集装置において、前記端末器から送信されてきた所定の処理データからその所定の処理データのシリアル番号及び処理時刻を抽出する抽出手段と、抽出されたシリアル番号及び処理時刻と予め記憶されている前回に抽出されたシリアル番号及び処理時刻とを照合する照合手段と、照合一致のときに、今回受信した所定の処理データを廃棄し、照合不一致のときに、今回受信した所定の処理データを記憶する記憶手段と、を有することを特徴としている。
また、前記情報記録媒体は非接触券であり、端末器はその非接触券を非接触で処理する非接触式端末器であることを特徴としている。
【０００８】
本発明に係るデータ収集装置は、上記目的を達成するために非接触式端末器は非接触式自動改札機等の非接触式駅務機器であることを特徴としている。
【０００９】
【発明の実施の形態】
以下、本発明の実施の形態を図面に基づいて説明する。図１は、端末器を非接触式自動改札機としたときの斜視図である。この非接触式自動改札機の本体（以下、「本体」という。）Ｇの入口側の筐体Ｈの上面には、非接触券Ｃと交信するためのアンテナａが設けられている。
【００１０】
本体Ｇの筐体Ｈの改札通路Ｐの入口側には、本体Ｇの使用状態、つまり改札通路Ｐを通過できるか否かを利用者に表示するための表示部１が設けられている。また、図中、Ｓ，Ｓ…は、改札通路Ｐへの利用者の進入又は改札通路Ｐからの退出、あるいは通過を検知するための光電式の人間検知器であり、筐体Ｈの側面及びセンサ取付アーム２に取付けられている。また、筐体Ｈの側面には、利用者に対して音声により所定の案内をアナウンスするためのスピーカ３が取付けられているとともに、筐体Ｈの上面の出口側には、利用者に対して文字により所定の案内を行う表示画面４が取付けられている。
【００１１】
図中、５は、本体Ｇの動作を司どる制御器であり、マイクロコンピュータを中心に構成されている。そして、この制御器５には、非接触券Ｃとの間でデータの授受を行うためのトランスミッタ（リーダライタ）Ｔが接続されている。また、この制御器５は、本体Ｇの設置駅に設置されている他の本体あるいは自動券売機等の駅務機器を一括管理する駅制御装置（駅装置）イに接続されている。
【００１２】
トランスミッタＴは、周知の非接触式自動改札機と同じく、アンテナａを介して非接触券Ｃから定期券データや金額データ等の所定のカードデータを受信するとともに、本体Ｇから非接触券Ｃに残額や入出場情報等の所定のデータを送信できる機能を有している。
【００１３】
図２は、駅制御装置イ，本体Ｇ及び非接触券Ｃとの電気的構成を示すブロック図であって、駅制御装置イから説明すると、この駅制御装置は、ＣＰＵからなる制御部１０を有している。この制御部１０には、本体Ｇ側と交信するための通信制御部１１と、駅制御装置イを制御するシステムプログラムや非接触券Ｃを処理した処理データ、つまり１件明細書データ等の所定のデータを記憶するためのメモリ１２とが接続されている。
【００１４】
本体Ｇに設けられている制御器５の制御部２０は、メモリ２１に記憶されているシステムプログラム及びワーキングデータを用いて演算処理を行って、本体Ｇを統括的に制御できるように構成されている。そして、この制御部２０には、図示しないＩ／Ｏユニットを介してドアＤ1 ，Ｄ2 を駆動制御するドア駆動ユニット２２と、表示画面４の表示内容を駆動制御する表示画面駆動ユニット２３とが接続されている。また、この制御部２０には、通信制御部２４を介して駅制御装置イに接続できるように構成されている。
【００１５】
制御部２０に接続されているトランスミッタＴには、非接触券Ｃと交信を行うためのアンテナａが接続されている。このアンテナａは、非接触券Ｃとデータ授受を行うためのアンテナａ1 と、非接触券Ｃに電力を供給するためのアンテナａ2 とを有している。
【００１６】
非接触券Ｃは、無線通信機能を有する通常のＩＣカードと同様に、アンテナ３０と、通信制御部３１と、ＣＰＵ３２と、メモリ３３と、本体Ｇからの電力波をアンテナ３４を介して受信し、非接触券Ｃの駆動電力を生成する電力生成回路３５とを有している。メモリ１３には、ＣＰＵ１２の演算処理用のシステムプログラム以外に、非接触券ＣのカードＩＤ（識別情報）、金額データ、定期券データ、クレジットカードデータ等の所定のカードデータが記録されている。
【００１７】
次の図３のフローチャートを用いて駅制御装置イにおける制御動作について説明する。今、本体Ｇのアンテナａの交信範囲内に非接触券Ｃがかざされて、本体Ｇと非接触券Ｃとの間でデータ授受が行われて所定の入出場処理が行なわれたとする。そして、その入出場処理は、その非接触券Ｃに含まれている金額データを用いて入出場されたものとする。具体的には、入場時においては、初乗運賃を減額処理して新たな残額を算出し、また、出場時においては、乗車料金から初乗運賃を減算した精算料金を減額処理して新たな残額の算出が行われる。そして、その新たな残額は、入出場駅や入出場日の日付，時刻（本発明の処理時刻に相当している。）等の入出場データ、及びこの入出場データに付されたシリアルＮｏ．と対応させた１件明細データが作成されてこれがメモリ２１に記憶される。なお、この記憶されたデータ（処理データ）は、通信制御部２４を介してデータ収集装置である駅制御装置イに送信される（図３のステップ１００の上の矢印参照）。
【００１８】
本体Ｇから受信した（ステップ１００肯定。以下、ステップを「Ｓ」とする。）処理データは、駅制御装置イのメモリ１２に記憶される。この記憶は、非接触券Ｃ毎に、つまり非接触券ＣのＩＤ毎に行なわれる。
【００１９】
一旦、メモリ１２に記憶された処理データは、制御部１２により、メモリ１２にそれまでに記憶されている処理データのシリアルＮｏ．及び処理時刻と照合される（Ｓ１０２，Ｓ１０４）。この照合において、一致するものがあれば、その処理データは重複していることを意味している。したがって、このまま放置すると、２度引き等の不都合が発生するので、今回受信した処理データは廃棄処分される（Ｓ１０６肯定、Ｓ１０８）。もちろん、照合不一致のとき（Ｓ１０６否定）、今回受信した処理データは最初の処理データであるので、そのままメモリ１２に記憶されて保存される（Ｓ１１０）。
【００２０】
以上のようにメモリ１２には、非接触券Ｃを用いて一つの入出場が行なわれたとき、１つの入出場データ（処理データ）しか記憶されないので、２度引き等の不都合の発生を未然に防止することができる。
【００２１】
なお、上述の例では、端末器を非接触式自動改札機とし、データ収集装置を駅制御装置イとしたが、他の機器であってもよい。例えば、端末器は、非接触式自動精算機等の他の駅務機器や駅構内の売店に設けられている非接触式決済機（本発明では、この決済機も駅務機器に含めている。）等であってもよい。
【００２２】
【発明の効果】
本発明に係るデータ収集装置は、端末器から送信されてきた所定の処理データからその所定の処理データのシリアル番号及び処理時刻を抽出する抽出手段と、抽出されたシリアル番号及び処理時刻と予め記憶されている前回に抽出されたシリアル番号及び処理時刻とを照合する照合手段と、照合一致のときに、今回受信した所定の処理データを廃棄し、照合不一致のときに、今回受信した所定の処理データを記憶する記憶手段とからなるので、重複した処理データにより、いわゆる２度引き等の不都合が発生するのを効果的に防止することができる。
また、情報記録媒体を非接触券とし、端末器はその非接触券を非接触で処理する非接触式端末器としたときは、非接触券の処理データを効率よく処理することができる。
そして、非接触式端末器を非接触式自動改札機等の非接触式駅務機器としたときは、入出場等に伴う処理データを効率よく処理することができる。
【図面の簡単な説明】
【図１】本発明の一実施の形態に係るデータ収集装置を非接触式自動改札機に適用したときのその非接触式自動改札機及び駅制御装置の概略構成図である。
【図２】電気的構成を示すブロック図である。
【図３】制御動作を示すフローチャートである。
【符号の説明】
Ｇ  非接触式自動改札機の本体（本体）
３  スピーカ
４  表示画面
５  制御器
イ  駅制御装置
Ｔ  トランスミッタ
Ｓ  人間検知器
ａ  アンテナ
Ｃ  非接触券
【図１】
0004009406.tif 000002
【図２】
0004009406.tif 000003
【図３】
0004009406.tif 000004